(57)【要約】【課題】表示映像が切り替わった際に、表示映像に対して多重表示されていた情報を消去できるようにする。【解決手段】外部から第１の映像信号を入力する映像入力部２０６と、前記第１の映像信号が変化したことを検出する映像変化検出部２０９と、外部からの情報を入力する情報入力部２０３と、前記情報入力部２０３により入力された外部からの情報に基づいて第２の映像信号を生成する画像生成部２０４と、前記第１の映像信号に係る第１の映像と第２の映像信号に係る第２の映像とを映像表示面に表示する投射部２１１と、前記第２の映像の表示中に前記映像変化検出部２０９により前記第１の映像信号の変化を検出したことに応じて、前記映像表示面に表示されている前記第２の映像の表示を消去するよう前記投射部２１１を制御する制御部２０１とを設ける。【選択図】  図１
2009210625.tif 000002
【特許請求の範囲】
【請求項１】
外部から第１の映像信号を入力する映像入力手段と、
前記映像入力手段により入力された第１の映像信号が変化したことを検出する映像変化検出手段と、
外部からの情報を入力する情報入力手段と、
前記情報入力手段により入力された外部からの情報に基づいて第２の映像信号を生成する生成手段と、
前記第１の映像信号に係る第１の映像と第２の映像信号に係る第２の映像とを映像表示面に表示する表示手段と、
前記第２の映像の表示中に前記映像変化検出手段により前記第１の映像信号の変化を検出したことに応じて、前記映像表示面に表示されている前記第２の映像の表示を消去するよう前記表示手段を制御する制御手段とを備えたことを特徴とする表示装置。
【請求項２】
前記第１の映像の特徴を抽出する映像特徴量抽出手段と、
前記映像特徴量抽出手段により抽出された第１の映像の特徴量を保持しておく特徴量保持手段と、
前記情報入力手段により入力された外部からの情報を保持しておく入力情報保持手段と、
前記表示手段により前記映像表示面に表示されている前記第１の映像と、前記特徴量保持手段によって保持されている１つ以上の特徴量とを比較する特徴量比較手段とを備え、
前記映像変化検出手段によって前記第１の映像の変化が検出された場合には、前記特徴量比較手段により特徴量比較を行い、前に表示されていた映像と同じであると判別された場合には、前に表示されていた映像が表示されていたときに重畳されていた前記第２の映像を前記映像表示面に再表示することを特徴とする請求項１に記載の表示装置。
【請求項３】
前記生成手段によって生成される前記第２の映像を記憶媒体に複数個保持する保持手段と、
前記記憶媒体に保持されている前記複数個の第２の映像を前記映像表示面に一覧表示する一覧表示手段と、
前記映像表示面に一覧表示された前記複数個の第２の映像の中から任意の映像をユーザーに選択させるための選択手段と、
前記選択手段によって選択された映像を前記第１の映像と重畳する映像重畳手段とを有することを特徴とする請求項２に記載の表示装置。
【請求項４】
前記制御手段は、映像入力手段の接続が切断された場合には、前記特徴量保持手段によって保持される特徴情報と、前記入力情報保持手段によって保持される入力情報とを消去することを特徴とする請求項２または３に記載の表示装置。
【請求項５】
外部から第１の映像信号を入力する映像入力工程と、
前記映像入力工程において入力された第１の映像信号が変化したことを検出する映像変化検出工程と、
外部からの情報を入力する情報入力工程と、
前記情報入力工程において入力された外部からの情報に基づいて第２の映像信号を生成する生成工程と、
前記第１の映像信号に係る第１の映像と第２の映像信号に係る第２の映像とを映像表示面に表示する表示工程と、
前記第２の映像の表示中に前記映像変化検出工程において前記第１の映像信号の変化を検出したことに応じて、前記映像表示面に表示されている前記第２の映像の表示を消去するよう前記表示工程の処理を制御する制御工程とを備えたことを特徴とする表示方法。
【請求項６】
前記第１の映像の特徴を抽出する映像特徴量抽出工程と、
前記映像特徴量抽出工程において抽出された第１の映像の特徴量を保持しておく特徴量保持工程と、
前記情報入力工程において入力された外部からの情報を保持しておく入力情報保持工程と、
前記表示工程において前記映像表示面に表示されている前記第１の映像と、前記特徴量保持工程において保持されている１つ以上の特徴量とを比較する特徴量比較工程とを備え、
前記映像変化検出工程において前記第１の映像の変化が検出された場合には、前記特徴量比較工程において特徴量比較を行い、前に表示されていた映像と同じであると判別された場合には、前に表示されていた映像が表示されていたときに重畳されていた前記第２の映像を前記映像表示面に再表示することを特徴とする請求項５に記載の表示方法。
【請求項７】
前記生成工程において生成される前記第２の映像を記憶媒体に複数個保持する保持工程と、
前記記憶媒体に保持されている前記複数個の第２の映像を前記映像表示面に一覧表示する一覧表示工程と、
前記映像表示面に一覧表示された前記複数個の第２の映像の中から任意の映像をユーザーに選択させるための選択工程と、
前記選択工程において選択された映像を前記第１の映像と重畳する映像重畳工程とを有することを特徴とする請求項６に記載の表示方法。
【請求項８】
前記制御工程においては、映像入力工程の接続が切断された場合には、前記特徴量保持工程において保持される特徴情報と、前記入力情報保持工程において保持される入力情報とを消去することを特徴とする請求項６または７に記載の表示方法。
【請求項９】
外部から第１の映像信号を入力する映像入力工程と、
前記映像入力工程において入力された第１の映像信号が変化したことを検出する映像変化検出工程と、
外部からの情報を入力する情報入力工程と、
前記情報入力工程において入力された外部からの情報に基づいて第２の映像信号を生成する生成工程と、
前記第１の映像信号に係る第１の映像と第２の映像信号に係る第２の映像とを映像表示面に表示する表示工程と、
前記第２の映像の表示中に前記映像変化検出工程において前記第１の映像信号の変化を検出したことに応じて、前記映像表示面に表示されている前記第２の映像の表示を消去するよう前記表示工程の処理を制御する制御工程とをコンピュータに実行させることを特徴とするプログラム。
【請求項１０】
請求項９に記載のプログラムを記憶したことを特徴とするコンピュータ読み取り可能な記憶媒体。
【発明の詳細な説明】
【技術分野】
【０００１】
本発明は表示装置及び表示方法に関し、特に、会議などでプレゼンテーションを行う際に、表示映像に対して書込まれた情報を消去するために用いて好適な技術に関する。
【背景技術】
【０００２】
従来、プロジェクタを使用した、協調作業を実施する状況が増えつつある。例えば、プロジェクタを用いて投影した画面を利用して、プレゼンテーションを行うことが一般的である。また、聴講者からのメッセージを受信し、投影画面に表示する構成も知られている。
【０００３】
このようなプロジェクタシステムは、発表中に質問があっても発表が終わるまで待たなければならず、また、発表者は、発表中に聴衆からの質問を知りたくても発表が終わるまで知ることが出来ないという課題がある。
【０００４】
このような課題を解消するために、例えば、特許文献１にはプロジェクタシステムが提案されている。このプロジェクタシステムは、入力された画像情報を投射対象に投射する投射手段と、画像情報に関連するメッセージが送信されてきた場合、そのメッセージを受信して保存する受信手段とを有するプロジェクタ装置を有している。また、メッセージが入力された場合、その入力されたメッセージを前記プロジェクタ装置に送信する送信手段を有している。
【０００５】
【特許文献１】特開２００５−２２１８９８号公報
【発明の開示】
【発明が解決しようとする課題】
【０００６】
前記特許文献１において提案されたプロジェクタシステムによれば、メッセージが入力された場合、その入力されたメッセージをプロジェクタ装置に送信する送信手段を有する。これにより、発表中に質問があった場合には、投影映像に対して書込むことができるので、聴取は発表が終わるまで待つ必要がない。
【０００７】
しかしながら、投影映像に対して書込まれた情報は、プロジェクタによって投影画面に多重（オーバーレイ）表示されるが、投影映像が切り替わった場合には、オーバーレイ表示された情報がそのまま残ってしまうという問題がある。
【０００８】
本発明は前述の問題点に鑑み、表示映像が切り替わった際に、表示映像に対して多重表示されていた情報を消去できるようにすることを目的としている。
【課題を解決するための手段】
【０００９】
本発明の表示装置は、外部から第１の映像信号を入力する映像入力手段と、前記映像入力手段により入力された第１の映像信号が変化したことを検出する映像変化検出手段と、外部からの情報を入力する情報入力手段と、前記情報入力手段により入力された外部からの情報に基づいて第２の映像信号を生成する生成手段と、前記第１の映像信号に係る第１の映像と第２の映像信号に係る第２の映像とを映像表示面に表示する表示手段と、前記第２の映像の表示中に前記映像変化検出手段により前記第１の映像信号の変化を検出したことに応じて、前記映像表示面に表示されている前記第２の映像の表示を消去するよう前記表示手段を制御する制御手段とを備えたことを特徴とする。
【００１０】
本発明の表示方法は、外部から第１の映像信号を入力する映像入力工程と、前記映像入力工程において入力された第１の映像信号が変化したことを検出する映像変化検出工程と、外部からの情報を入力する情報入力工程と、前記情報入力工程において入力された外部からの情報に基づいて第２の映像信号を生成する生成工程と、前記第１の映像信号に係る第１の映像と第２の映像信号に係る第２の映像とを映像表示面に表示する表示工程と、前記第２の映像の表示中に前記映像変化検出工程において前記第１の映像信号の変化を検出したことに応じて、前記映像表示面に表示されている前記第２の映像の表示を消去するよう前記表示工程の処理を制御する制御工程とを備えたことを特徴とする。
【００１１】
本発明のプログラムは、外部から第１の映像信号を入力する映像入力工程と、前記映像入力工程において入力された第１の映像信号が変化したことを検出する映像変化検出工程と、外部からの情報を入力する情報入力工程と、前記情報入力工程において入力された外部からの情報に基づいて第２の映像信号を生成する生成工程と、前記第１の映像信号に係る第１の映像と第２の映像信号に係る第２の映像とを映像表示面に表示する表示工程と、前記第２の映像の表示中に前記映像変化検出工程において前記第１の映像信号の変化を検出したことに応じて、前記映像表示面に表示されている前記第２の映像の表示を消去するよう前記表示工程の処理を制御する制御工程とをコンピュータに実行させることを特徴とする。
【発明の効果】
【００１２】
本発明によれば、表示映像が切り替わった際に、表示映像に対して多重表示されていた情報を消去できるようにした。これにより、映像ソース側に特殊な機能を付加することなく、インタラクティブ機能を付加することが可能となり、プロジェクタを使用した議論や授業を円滑に進めることが可能となる。
【発明を実施するための最良の形態】
【００１３】
（第１の実施形態）
以下、添付図面に従って本発明に係る実施形態を詳細に説明する。
図１は、本発明の実施形態を示し、本実施形態のプロジェクタ１０１と外部機器との接続構成の一例を示す図である。
【００１４】
プロジェクタ１０１は、ＤＶＩ（digital visual interface）ケーブル１０３によりＰＣ１０２（パーソナルコンピュータ）と接続されている。ＰＣ１０２は、表示する映像をＤＶＩケーブル１０３を介してプロジェクタ１０１に伝送する。プロジェクタ１０１は、映像表示面であるスクリーン１０４に投射して表示する。
【００１５】
また、プロジェクタ１０１は、ＵＳＢケーブル１０６によってペン入力式のタブレット１０５と接続されている。このタブレット１０５の入力は、ＰＣ１０２からの入力映像にオーバーレイされてスクリーン１０４に表示される。
【００１６】
図２は、プロジェクタ１０１の概略構成の一例を説明するブロック図である。以下、図２に従って基本動作とデータフローを説明する。
プロジェクタ１０１は、ＤＶＩケーブル１０３がＤＶＩ端子２０８に接続され、ＤＶＩ端子２０８から映像データが入力される。図２において、入力映像データは映像入力部２０６によって映像メモリ部２０７にフレームとして記録される。
【００１７】
図３は、映像メモリ部２０７上でのフレームのアドレス配置を模式的に示している。入力された最初の映像フレームはフレームＡ３０１、次のフレームは、フレームＢ３０２、次はフレームＣ３０３、フレームＤ３０４と記録される。そして、次のフレームでは、フレームＡ３０１に再び記録される。
【００１８】
所定のアドレス記録された映像フレームは画像処理部２１０に転送される。映像変化検出部２０９は、スクリーン１０４に映像を表示中に、現在のフレームと一つ前のフレームとの差異を確認し、差異があった場合には、制御部２０１に通知を行う。
【００１９】
本実施形態のプロジェクタ１０１は、ペン入力式のタブレット１０５とＵＳＢ端子２０２をＵＳＢケーブル１０６によって接続可能である。タブレット１０５からの入力があると、情報入力部２０３によって制御部２０１に通知される。
【００２０】
制御部２０１は、通知された情報を元に画像生成部２０４の制御を行い、画像データをグラフィックメモリ部２０５に生成する。例えば、ユーザーがタブレット１０５を使用して線を引いたら、線の画像が画像生成部２０４によってグラフィックメモリ部２０５に生成される。なお、本実施形態においては、タブレット１０５が接続されているが、マウスなどの入力デバイスであってもよい。
【００２１】
画像処理部２１０は、映像メモリ部２０７から転送される映像フレームと、グラフィックメモリ部２０５から転送される画像データとを合成して重畳する映像重畳処理を行う。そして、重畳した映像フレームとして投射部２１１に転送する。投射部２１１は、レンズ２１２を介してスクリーン１０４に映像を投射する。また、制御部２０１上で実行されるプログラムによって、前述の各部の制御が行われる。以上が本実施形態のプロジェクタ１０１に関する基本的な動作である。
【００２２】
次に、本実施の形態のプロジェクタ１０１における詳細な動作例を図４のフローチャートを参照しながら説明する。このフローチャートは、制御部２０１上で動作するプログラムの１つであり、プロジェクタ起動時に実行が開始される。制御部２０１上で動作するプログラムはメインメモリ部２１４上に格納されている。
【００２３】
まず、ステップＳ４０１において、プロジェクタ１０１が書込みモードであるかどうかの判別を行う。ここで、書込みモードとは、タブレット１０５によって、ユーザーが投射映像に書込みを行うことができるモードである。このモードの設定は、図５に示すメニュー画面５００によって設定される。このモード設定について以下に説明する。
【００２４】
ユーザーは、ユーザー入力部２１３により、当該メニュー画面５００を表示させる。ユーザー入力部２１３からの入力は、情報入力部２０３によって制御部２０１に通知される。通知情報がメニュー画面５００の表示指示であった場合には、制御部２０１は、画像生成部２０４を制御する。そして、グラフィックメモリ部２０５上にメニュー画面５００を生成し、画像処理部２１０を制御することで映像メモリ部２０７上の映像と重畳することによってメニュー画面５００をスクリーン１０４上に表示する。
【００２５】
メニュー画面５００にはいくつかの設定項目があるが、書込みモード５０１を選択することで、図６のポップアップメニュー６００を表示する。ここで、"切"６０１を選択すると非書込みモードとなる。また、"自動消去モード"６０２を選択すると書込み自動消去モードとなる。さらに、"マニュアル消去モード"６０３を選択した場合には書込みマニュアル消去モードとなる。
【００２６】
"自動消去モード"６０２と"マニュアル消去モード"６０３は、ステップＳ４０１において、書込みモードとして判別される。ここで設定された書込みモード情報は、メインメモリ部２１４上の特定のアドレス番地Ａに、例えば、"切"であれば０、"自動消去モード"であれば１、"マニュアル消去モード"であれば２という値で記録保持される。
【００２７】
すなわち、メインメモリ部２１４上の特定のアドレス番地Ａに、１あるいは２と記録されていれば、ステップＳ４０１において、書込みモードとして判別される。
【００２８】
ここで、書込み自動消去／マニュアル消去モードの場合には、ユーザーがタブレット１０５を用いて図の書込みを指示すると、グラフィックメモリ部２０５に図が書込まれる。例えば、図７（ａ）のような映像がスクリーン１０４上に表示されているとする。
【００２９】
図７（ａ）の映像は、ＤＶＩ端子２０８によって接続された外部のＰＣ１０２からの入力映像であり、映像入力部２０６によって映像メモリ部２０７に展開されている。このとき、ユーザーはタブレット１０５を介して、図７（ｂ）のような書込みをスクリーン１０４上の図７（ａ）の映像に対して行うことができる。
【００３０】
制御部２０１は、情報入力部２０３からの画像書き込みの通知を受け、画像生成部２０４の制御を行うことによって、グラフィックメモリ部２０５に図７（ｂ）の画像を生成する。そして、画像処理部２１０を制御し、映像メモリ部２０７に展開されている図７（ａ）の映像フレームと、グラフィックメモリ部２０５に展開されている図７（ｂ）の画像を重畳する。これにより、図７（ｃ）の映像を生成し、生成された図７（ｃ）の映像を投射部２１１によってレンズ２１２を介してスクリーン１０４上に投射する。以上のようにすることで、書込みモードでは、ユーザーはスクリーン１０４上にあたかも書込みができるようになる。
【００３１】
書込みモードの場合には、前述の通り、書込み自動消去モードと書込みマニュアル消去モードの２種類ある。この詳細なモードの確認をステップＳ４０２において行う。ステップＳ４０２の確認の結果、書込み自動消去モードの場合には、ステップＳ４０３に進み、映像変化検出部２０９を起動して映像変化の検出を行う。なお、既に起動されていればそのままである。
【００３２】
映像変化検出部２０９は、図４のフローチャートを実行するプログラムとは非同期に動いている。図３において、フレームＡ３０１には映像フレームがすでに保持されており、フレームＢ３０２には現在の映像入力部２０６によって映像フレームが書込まれている途中だとする。
【００３３】
フレームＢ３０２への映像フレームの書込みが完了すると、映像入力部２０６は、フレームＢ３０２のアドレスを映像変化検出部２０９に通知する。映像変化検出部２０９は通知を受けたタイミングで、フレームＡ３０１のデータとフレームＢ３０２のデータの差分を計算する。差分の計算はそれぞれのフレームデータ（ピクセル）を減算するだけで求める。
【００３４】
ここで差分があると映像に変化があると判断する（ステップＳ４０４）。なお、本実施形態においては、差分によって映像の変化を検出しているが、画像の特徴量を求め、その画像に変化があるかどうかを判断してもよい。画像の特徴量を求める方法については、様々な公知例があるので説明は省略する。
【００３５】
ステップＳ４０４において、映像に変化があると判断された場合にはステップＳ４０５に進み、書込み情報の消去を行う。また、ステップＳ４０４において、映像に変化があると判断された場合には、映像変化検出部２０９は制御部２０１に通知をする。
【００３６】
制御部２０１は、映像に変化があるとの通知を映像変化検出部２０９から受けると、グラフィックメモリ部２０５に生成された画像を消去するように画像生成部２０４を制御する。すなわち、図８に示すように、入力映像が８０１から８０２のように変化すると、グラフィックメモリ部２０５に展開されている８０３の画像は８０４の状態になり消去される。これにより、８０５の画像は８０６のようになり、書き込まれた情報が消去される。
【００３７】
以上の一連の処理は、書込み自動消去モードにおいては自動で行われるため、ユーザーは映像が切り替わるたびに、書込んだ情報を消去する操作をする必要が無い。これにより、情報の消去作業を気にせずに、より円滑なディスカッションを行うことが期待できる。
【００３８】
ここで、図４のフローチャートの説明に戻る。
ステップＳ４０１の判断の結果、書込み自動消去モードでなく、書込みマニュアル消去モードでない場合には、ステップＳ４０６に進み、映像変化検出部２０９を停止する。既に停止していればそのままである。その後、ステップＳ４０７に進み、状態変化待ちになるとこのプログラムは待ち状態になる。
【００３９】
また、ステップＳ４０４の判断の結果、映像変化検出部２０９が映像の変化を検出しなければ、ステップＳ４０７に進み、同じくプログラムは待ち状態になる。ここで、待ち状態とは、例えば、本プログラムがリアルタイムＯＳなどで管理されている場合には、セマフォや、イベント待ちになっている状態である。モノリシックなプログラムであれば割り込み待ちの状態である。どのような実現方法をとってもよい。
【００４０】
ここで、ユーザーがユーザー入力部２１３を操作し、メニュー画面５００から、書込みモードの変更を行うと、制御部２０１は、このプログラムの待ち状態を開放する（ステップＳ４０８）。この場合には、フローチャートの先頭から処理が再開される。ここで、ユーザーは、ユーザー入力部２１３を操作することで、任意のタイミングで図７（ｂ）のように投射映像に書込んだ映像を消去することができる。
【００４１】
ユーザーが画像消去を依頼する操作を行った場合にも、制御部２０１は、この図４のフローチャートの待ち状態を開放する（ステップＳ４０８）。そして、ステップＳ４０９に進み、グラフィックメモリ部２０５に生成された画像を画像生成部２０４によって消去する。
【００４２】
また、映像変化検出部２０９は、図４のフローチャートを実行するプログラムとは非同期に動作しているので、映像の変化を検出すると、制御部２０１に対して通知を行い、この通知によっても制御部２０１は、図４のフローチャートの待ち状態を開放する。
【００４３】
（第２の実施形態）
前述した第１の実施形態においては、プロジェクタを使用したディスカッションを円滑に進めるために、プロジェクタのスクリーンにユーザーが書込みをできるようにした。一方、ディスカッションの途中には前に表示していた情報を見る状況も発生する。
【００４４】
図９は、これを実現する第２の実施形態の概略構成を説明するブロック図である。この例の場合は、第１の実施形態の構成に加えて、映像特徴量抽出部９０１と、映像特徴量記録部９０２と、情報入力部２０３によって入力された情報を記録保持するための入力情報記録部９０３とから構成される。
【００４５】
映像特徴量抽出部９０１は、入力された映像の特徴量を検出するためのものであり、映像変化検出部２０９からの通知をうけて、映像フレームの特徴量を抽出する。画像の特徴量としては、本実施形態においては、間引きした画像を特徴量として扱うが、無論それ以外の特徴量を用いてもよい。すなわち、映像特徴量抽出部９０１は、映像メモリ部２０７上の映像フレームを、例えば、図１０（ａ）に示すような現画像を縮小した画像である、図１０（ｂ）に示す画像を特徴量として抽出する。
【００４６】
映像特徴量記録部９０２は、映像特徴量抽出部９０１により抽出された映像の特徴量保持を行うためのものであり、抽出された映像特徴量をメインメモリ部２１４に記録し、記録したことを制御部２０１に通知する。入力情報記録部９０３は入力情報保持のためのものであり、情報入力部２０３により外部から入力された入力情報を記録して保持するためのものである。
【００４７】
次に、本実施の形態における詳細な動作の例を、図１１のフローチャートを参照しながら説明する。このフローチャートは、制御部２０１上で動作するプログラムの１つであり、プロジェクタ起動時に実行が開始される。制御部２０１上で動作するプログラムはメインメモリ部２１４上に格納されている。
【００４８】
また、図１１のフローチャートを基本的な処理としては、図４のフローチャートに従い、第１の実施形態で説明した処理については省略する。本実施の形態の特徴となる処理については、図４のステップＳ４０４以降にあらたに加えられている。以下はステップＳ４０４以降の処理の説明である。
【００４９】
映像変化検出部２０９によって映像変化が検出されると、ステップＳ１１０１において、自動復元モードであるかどうか判断する。自動復元モードとは、以前表示された映像に対して書込まれた映像を、同一の映像が再表示された場合に、そのときに書込まれた画像も再現するモードである。図１３は、自動消去モードでの状態を表しており、図１４は自動復元モードを表している。
【００５０】
復元モードの設定は、図１２に示されるポップアップメニュー１２００の"自動復元モード"１２０１を選択することで行われる。なお、メニューの表示や設定された綱目の情報管理については、第１の実施形態で説明しているので省略する。
【００５１】
図１１のフローチャートに戻り、ステップＳ１１０１の判断の結果、自動復元モードとして判別されると、ステップＳ１１０２に進んで書込み情報がメインメモリ部２１４に記録される。この書込み情報は、画像生成部２０４によって生成された画像データであってもよいし、その画像データを生成可能な情報入力部２０３からの入力データであってもよい。あるいは画像生成部２０４によって生成された画像データをベクタデータ化したものでもよい。フォーマットは問わない。
【００５２】
この書込み情報は、その書込みが行われた映像の特徴量と関連付けて記録される。関連付けはメモリ上の記録配置で容易に実現できる。その後、新に表示されている映像の特徴量を映像特徴量抽出部９０１によって抽出する（ステップＳ１１０３）。ステップＳ１１０３において抽出された特徴量は、映像特徴量記録部９０２によってメインメモリ部２１４に記録される（ステップＳ１１０４）。
【００５３】
ここで、特徴量と書込み情報のメインメモリ部２１４上での記録配置の状態を、図１３を用いて説明する。
まず、映像変化検出部２０９によって映像変化が検出されると、入力映像の特徴量が抽出されメインメモリ部２１４の特定アドレス１３０１に記録される（図１３（ａ））。ここで、この時点においては、書込み情報はないので、特定アドレス１３０２には何も記録されていない。次に再度映像変化を検出すると、今度は、その時点での書込み情報を特定アドレス１３０２に記録する（図１３（ｂ））。
【００５４】
そして、その時点での映像の特徴量を抽出し特定アドレス１３０３に記録する（図１３（ｃ））。ただし、この時点での映像に対する書込み情報はないので、特定アドレス１３０４には何も記録されていない。
【００５５】
つまり、特定アドレス１３０１の特徴量１と特定アドレス１３０２の書込み情報１が関連付けられ、特定アドレス１３０３の特徴量２と、特定アドレス１３０４に記録される書込み情報とが関連付けられることになる。また、書込み情報が無い場合には、何も記録されない。この特徴量のデータ数は、メインメモリ部２１４が共用する範囲で保持することもできるし、予め、システムとして規定していてもよいし、また、ユーザーによる設定が可能であるようにしてもよい。
【００５６】
次に、ステップＳ１１０３において新たに抽出された特徴量と、すでにメインメモリ部２１４に記録されている特徴量との比較を行う（ステップＳ１１０５）。
【００５７】
図１４は、画像の変化が映像変化検出部２０９によって検出され、映像特徴量抽出部９０１によって取得された特徴量ｎ（１４０３）がメインメモリ部２１４上に配置された状態を示している。
【００５８】
映像特徴量記録部９０２は、図１４に示したように、特徴量ｎ（１４０３）をメインメモリ部２１４上に記録すると制御部２０１にそのことを通知する。通知を受けた制御部２０１は特徴量比較を行い、その前に記録された特徴量１（１３０１）、特徴量２（１３０２）・・・・・特徴量ｎ−１（１４０１）と、特徴量ｎ（１４０３）とを比較し、一致しているか否かの判断を行う（ステップＳ１１０６）。
【００５９】
この一致判断の結果が「イエス」と判断された場合、すなわち、前に表示されていた映像と同じであると判断した場合には、ステップＳ１１０７に進む。ステップＳ１１０７においては、一致した特徴量に対応した書込み情報を用いて画像生成部２０４によって画像をグラフィックメモリ部２０５上に生成する。そして、画像処理部２１０によって、映像メモリ部２０７から転送される映像フレームと、グラフィックメモリ部２０５から転送される画像データとを合成して重畳する。この重畳した映像フレームとして投射部２１１に転送する。ステップＳ６０１〜ステップＳ１１０７の処理は、開始操作が行われることにより開始され、終了操作が行われた場合には処理を終了する。
【００６０】
以上述べた処理によれば、過去に表示された映像を検出した場合には、そのときに書込まれた画像を復元表示することが可能となる。これにより、第１の映像の変化が検出された場合には、切り替わった前記第１の映像の特徴量を抽出し、映像特徴量記録部９０２によって保持されている１つ以上の特徴量と比較する。そして、前に表示されていた映像と同じであると判別された場合には、その映像が表示されていたときに、重畳して表示されていた前記第２の映像をスクリーン１０４に表示する表示装置が実現される。
【００６１】
（第３の実施形態）
第３の実施形態の表示装置のハード構成は、第２の実施形態の表示装置のハード構成（図９で説明した表示装置）と同じである。
第２の実施の形態において、書込まれた情報は、図１４に示すように、メインメモリ部２１４上に保持される。
【００６２】
このとき、ユーザー入力部２１３によって、所定の入力要求が発生すると、制御部２０１は、画像生成部２０４によって、図１５に示すような画像選択画面１５００を、グラフィックメモリ部２０５上に生成する。そして、画像処理部２１０は、グラフィックメモリ部２０５に生成された映像フレームのみを投射部２１１に転送する。ここで、１５０１、１５０２は、図１４の書込み情報１（１３０２）、書込み情報２（１３０４）によって生成される画像である。
【００６３】
ここで、ユーザーは、ユーザー入力部２１３によって制御可能なカーソル１５０５を移動させることによって、表示したい画像を選択する。このときに選択された画像は、映像入力部２０６から入力される映像と重畳されて表示される。
【００６４】
すなわち、映像入力部２０６から入力される映像が、例えば、図７（ａ）であった場合、図７（ｂ）の画像を画像選択画面１５００で選択することによって、図７（ｃ）のような画像を手動で再構成することが可能となる。
【００６５】
また、図１４に示したように、メインメモリ部２１４上に保持された、特徴量と書込み情報のデータは、ＤＶＩ端子２０８において切断が検出されると、その通知が制御部２０１に対して行われ、制御部２０１によって消去される。
【００６６】
以上述べた方法により、情報入力部２０３から入力された情報を、画像生成部２０４によって第２の映像信号として生成する。そして、その第２の映像信号を同時に複数個保持し、複数個同時に表示する機能。ユーザーにその一覧表示の中から任意の映像を選択させる機能。及び選択された第２の映像信号と第１の映像信号を重畳してスクリーン１０４に表示する機能とを有する表示装置が実現される。
【００６７】
また、映像特徴量記録部９０２によって保持される特徴情報と、入力情報記録部９０３によって保持される入力情報は、情報入力部２０３の接続が切断された場合には、制御部２０１によって自動的に消去される表示装置が実現される。
【００６８】
（本発明に係る他の実施の形態）
前述した本発明の実施の形態における表示装置を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００６９】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００７０】
なお、本発明は、前述した表示方法における各工程を実行するソフトウェアのプログラム（実施の形態では図４、図１１に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００７１】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００７２】
その場合、プログラムの機能を有していれば、オブジェクトコード、インタプリタにより実行されるプログラム、ＯＳに供給するスクリプトデータ等の形態であってもよい。
【００７３】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００７４】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００７５】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザーに対してダウンロードさせるＷＷＷサーバも、本発明に含まれるものである。
【００７６】
また、本発明のプログラムを暗号化してＣＤ−ＲＯＭ等の記憶媒体に格納してユーザーに配布し、所定の条件をクリアしたユーザーに対し、インターネットを介してホームページから暗号化を解く鍵情報をダウンロードさせる。そして、その鍵情報を使用することにより暗号化されたプログラムを実行してコンピュータにインストールさせて実現することも可能である。
【００７７】
また、コンピュータが、読み出したプログラムを実行することによって、前述した実施の形態の機能が実現される他、コンピュータ上で稼動しているＯＳなどが、実際の処理の一部または全部を行うことによっても前述した実施の形態の機能が実現され得る。
【００７８】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００７９】
【図１】第１の実施形態を示し、プロジェクタの接続構成の一例を示す図である。
【図２】第１の実施形態を示し、表示装置の構成例を示すブロック図である。
【図３】第１の実施形態を示し、映像メモリ部上でのフレームのアドレス配置を模式的に示す図である。
【図４】第１の実施形態を示し、プロジェクタにおける詳細な動作例を説明するフローチャートである。
【図５】第１の実施形態を示し、ユーザー設定のＧＵＩ例を示す図である。
【図６】第１の実施形態を示し、ユーザー設定のＧＵＩ例を示す図である。
【図７】第１の実施形態を示し、映像がスクリーン上に重畳表示される例を示す図である。
【図８】第１の実施形態を示し、映像変化が検出された時に行われる映像変化の一例を示す図である。
【図９】第２の実施形態を示し、表示装置の構成例を示すブロック図である。
【図１０】第２の実施形態を示し、画像特徴量の例を示す図である。
【図１１】第２の実施形態を示し、プロジェクタにおける詳細な動作例を説明するフローチャートである。
【図１２】第２の実施形態を示し、ユーザー設定のＧＵＩ例を示す図である。
【図１３】第２の実施形態を示し、メインメモリ上の情報配置例を示す図である。
【図１４】第２の実施形態を示し、メインメモリ上の情報配置例を示す図である。
【図１５】第３の実施形態を示し、グラフィックメモリ部上に生成されるユーザー設定のＧＵＩ例を示す図である。
【符号の説明】
【００８０】
１０１  プロジェクタ
１０２  ＰＣ（パーソナルコンピュータ）
１０３  ＤＶＩケーブル
１０４  スクリーン
１０５  タブレット
１０６  ＵＳＢケーブル
２０１  制御部
２０２  ＵＳＢ端子
２０３  情報入力部
２０４  画像生成部
２０５  グラフィックメモリ部
２０６  映像入力部
２０７  映像メモリ部
２０８  ＤＶＩ端子
２０９  映像変化検出部
２１０  画像処理部
２１１  投射部
２１２  レンズ
２１３  ユーザー入力部
２１４  メインメモリ部
【図１】
2009210625.tif 000003
【図２】
2009210625.tif 000004
【図３】
2009210625.tif 000005
【図４】
2009210625.tif 000006
【図５】
2009210625.tif 000007
【図６】
2009210625.tif 000008
【図７】
2009210625.tif 000009
【図８】
2009210625.tif 000010
【図９】
2009210625.tif 000011
【図１０】
2009210625.tif 000012
【図１１】
2009210625.tif 000013
【図１２】
2009210625.tif 000014
【図１３】
2009210625.tif 000015
【図１４】
2009210625.tif 000016
【図１５】
2009210625.tif 000017